(57)【要約】【課題】操作が簡単でかつ小さな力で操作可能でありしかも不用意に開放することのないようにする。【解決手段】カバー開閉機構は、記録紙カバー２０に回動可能に軸着されカム面３８ａ及び該カム面に一端が不連続点１３８で交差し所定の中心角で切り欠かれた切り欠き面３８ｂを有するカム部３８、切り欠き面３８ｂの他端からカム部３８の径線方向に突出する係合部４０、該係合部に対し所定角度離間して設けられカム面３８ａから延出するレバー部４２、を有する操作カム部材３６を有する。さらに、本体フレーム１２に配置され、レバー部４２の操作に基づく操作カム部材３６の回動に伴い、係合部４０と係合又は離脱自在な受け部４４ａ及び不連続点１３８が当接する当接面４４ｂを有し、該当接時の反力でプラテン２８に記録ヘッド部３０からの解放力を付与するフレーム受け部４４を備えている。【選択図】図４
2009202424.tif 000002
【特許請求の範囲】
【請求項１】
一端を本体フレームに回動可能に取り付けられ、他端の自由端側に設けられた記録紙担持体を弾性力で記録ヘッド部に嵌合又は弾性力に抗して離脱させることで、記録紙収納部を開閉可能に覆う記録紙カバーの開閉機構において、
前記記録紙カバーに回動可能に軸着され、カム部、係合部、及びレバー部を有する操作カム部材と、
前記本体フレームに配置され、前記レバー部の操作に基づく前記操作カム部材の回動に伴い、前記係合部と係合又は離脱可能な受け部及び前記カム部が当接可能な当接面を有し、該当接時の反力で前記記録紙担持体に前記記録ヘッド部からの解放力を付与するフレーム受け部と、を備える
ことを特徴とする記録紙カバーの開閉機構。
【請求項２】
前記係合部は、前記受け部に係合する爪部を有する
ことを特徴とする請求項１に記載の記録紙カバーの開閉機構。
【請求項３】
前記軸の中心と前記レバー部の先端とを結ぶ距離は、前記軸の中心と前記カム部と前記当接面との当接点を結ぶ距離よりも大きく形成されている
ことを特徴とする請求項１に記載の記録紙カバーの開閉機構。
【請求項４】
前記爪部により、前記係合部と前記受け部とは外部からの衝撃に対して離脱しないように係合されている
ことを特徴とする請求項２に記載の記録紙カバーの開閉機構。
【請求項５】
前記操作カム部材を、前記記録紙の幅方向の少なくとも一方の前記記録紙カバーに配置した
ことを特徴とする請求項１に記載の記録紙カバーの開閉機構。
【請求項６】
情報を入力する入力部と、
該入力部から入力された情報を表示する表示部と、
該表示部に表示された前記入力情報を印字すべく、記録紙カバーに覆われた記録紙を有するプリンタ部と、を備える携帯端末装置において、
前記記録紙カバーには、請求項１〜５に記載の記録紙カバーの開閉機構を備える
ことを特徴とする携帯端末装置。
【発明の詳細な説明】
【技術分野】
【０００１】
本発明は、モバイル決済端末装置等に用いられる記録紙カバーの開閉機構とこれを備える携帯端末装置に関する。
【背景技術】
【０００２】
従来、レストランやコンビニ等で料金をカードにて支払う場合、これらの店舗レジに設置されている決済端末装置にカードを挿入して料金を支払っていくシステムが採用されていた。しかし、決済端末装置が携帯端末として使用できるようになれば、顧客がレジの近くまで行ってカードを店員に渡して決済する必要はなく、例えば、レストラン等においては、テーブル席で決済を行うことができる。
【０００３】
また、宅配業界等では商品配達時に玄関先で代金を回収する携帯決済端末装置が採用されている。例えば、現金のみならず、集配ドライバーが携帯しているカード決済端末装置によってクレジットカードやキャッシュカードでも決済ができるようになっている。
【０００４】
図１３及び図１４は、従来の携帯決済端末装置の外観を示している。
同図において、この携帯決済端末装置は、装置本体１０１の表面に、表示部１０２、キーボード１０３、プリンタ１０４、用紙収納部１０５を有し、用紙収納部１０５はクラムシェル型の用紙カバー１０６が採用されている。
【０００５】
この用紙カバー１０６の開閉時には、一方の手で装置本体１０１の左右両側部を把持し、他方の手で用紙カバー１０６の左右両側部に設けられたロックボタン１０７を矢印方向にスライドさせる（図１３参照）。次いで、ロックボタン１０７をスライドさせた手で、用紙カバー１０６を、支点１０８を中心として矢印方向に回動させて開放するようにしていた（図１４参照）。
【特許文献１】特開２００３−３１２０７６号公報
【発明の開示】
【発明が解決しようとする課題】
【０００６】
ところで、この種の装置は携帯型端末装置として使用するものであるため、小型かつ片手で把持し、もう一方の手でキー入力、カード読み込み、レシート取り扱い等を行うため、操作性に優れたものであることが必要である。
【０００７】
しかしながら、従来の携帯決済端末装置では、用紙カバー１０６の両サイドに、爪や指によりスライド操作可能なロックボタン１０７を取り付け、この用紙カバー１０６を上下に回動可能とするのを防止する構成としていた。このため、用紙カバー１０６の開放には２〜３アクションの行動が必要で、操作が煩雑であった。また、該用紙カバー１０６は、記録紙担持体２８を弾性力で記録ヘッド部に勘合されており、離脱する（カバー１０６を開く）ためには大きな力が必要であり、クラムシェル（二枚貝の様に口が開く）構造としており、用紙の幅の大きい装置において特に手の幅が小さい女性にとっては、難しい操作となっていた。
【０００８】
本発明は斯かる課題を解決するためになされたもので、操作が簡単でかつ小さな力で操作可能でありしかも不用意に開放することのない記録紙カバーの開閉機構とこれを備える携帯端末装置を提供することを目的とする。
【課題を解決するための手段】
【０００９】
前記目的を達成するため、請求項１に係る発明は、
一端を本体フレームに回動可能に取り付けられ、他端の自由端側に設けられた記録紙担持体を弾性力で記録ヘッド部に嵌合又は弾性力に抗して離脱させることで、記録紙収納部を開閉可能に覆う記録紙カバーの開閉機構において、
前記記録紙カバーに回動可能に軸着され、カム部、係合部、及びレバー部を有する操作カム部材と、
前記本体フレームに配置され、前記レバー部の操作に基づく前記操作カム部材の回動に伴い、前記係合部と係合又は離脱可能な受け部及び前記カム部が当接可能な当接面を有し、該当接時の反力で前記記録紙担持体に前記記録ヘッド部からの解放力を付与するフレーム受け部と、を備えることを特徴とする。
【００１０】
請求項２に係る発明は、請求項１に記載の記録紙カバーの開閉機構において、
前記係合部は、前記受け部に係合する爪部を有することを特徴とする。
請求項３に係る発明は、請求項１に記載の記録紙カバーの開閉機構において、
前記軸の中心と前記レバー部の先端とを結ぶ距離は、前記軸の中心と前記カム部と前記当接面との当接点を結ぶ距離よりも大きく形成されていることを特徴とする。
【００１１】
請求項４に係る発明は、請求項２に記載の記録紙カバーの開閉機構において、
前記爪部により、前記係合部と前記受け部とは外部からの衝撃に対して離脱しないように係合されていることを特徴とする。
【００１２】
請求項５に係る発明は、請求項１に記載の記録紙カバーの開閉機構において、
前記操作カム部材を、前記記録紙の幅方向の少なくとも一方の前記記録紙カバーに配置したことを特徴とする。
【００１３】
請求項６に係る発明は、
情報を入力する入力部と、
該入力部から入力された情報を表示する表示部と、
該表示部に表示された前記入力情報を印字すべく、記録紙カバーに覆われた記録紙を有するプリンタ部と、を備える携帯端末装置において、
前記記録紙カバーには、請求項１〜５に記載の記録紙カバーの開閉機構を備えることを特徴とする。
【発明の効果】
【００１４】
本発明によれば、フレーム受け部に係合離脱可能な操作カム部材を備えたことにより、操作が簡単でかつ小さな力で記録紙カバーを開閉操作することができる。しかも、外部からの衝撃によっても記録紙カバーが不用意に開放されるのを防止することができる。
【発明を実施するための最良の形態】
【００１５】
以下、図面に基づき本発明の実施の形態を説明する。
［第１の実施の形態］
図１は、携帯端末装置としての携帯決済端末装置１０の記録紙カバー閉状態の全体の斜視図であり、図２は、記録紙カバー開状態の全体の斜視図である。
【００１６】
この携帯決済端末装置１０は、装置本体が全体として平面視が縦長矩形状に形成されている。装置本体には、長手方向の一端側から他端側に向けて（図の下方側から上方側）、情報を入力するためのキー１３ａを備えた入力部１３と、ＬＣＤユニットやタッチパネル等を備えた表示部１４と、非接触型ＩＣカードリーダ１６と、記録紙カバー２０によって記録紙の収納部が覆われたプリンタ部１８と、が設けられている。
【００１７】
また、入力部１３の端部には、ＩＣカード挿入口２２ａを有する接触型ＩＣカードリーダ２２と、その背面側には、磁気カードを挿入する溝２４ａを有する磁気ストライプリーダ２４が設けられている。
【００１８】
なお、図１の矢印Ａ方向は、後述するレバー部４２により記録紙カバー２０を開放するときの操作方向を示している。
図２に示すように、記録紙カバー２０はクラムシェル型（二枚貝の様に口が開く）構造になっている。この記録紙カバー２０は、一端（基端側）の支点２６を中心として本体フレーム１２に回動可能に取り付けられている。記録紙カバー２０の他端は自由端となっている。この自由端側には、記録紙担持体としてのプラテン２８が回転可能に取り付けられている。このプラテン２８は、記録紙カバー２０を支持する支点２６の軸心と略平行に配置されている。
【００１９】
記録紙カバー２０の内側には、ロール状の記録紙３２を収納する記録紙収納部３４が形成されている。記録紙カバー２０は、そのカバー閉時にはプラテン２８が記録ヘッド部３０に弾性力で嵌合保持されている。また、カバー開時には、弾性力に抗して離脱させることによって記録紙収納部３４を開放することができる。
【００２０】
この記録紙カバー２０は、自由端側のプラテン２８が記録ヘッド部３０に弾性力で嵌合保持されているため、特にカバー開状態から記録紙カバー２０を回動して閉止するときは、パチンというクリック音を生む。ただし、このクリック音は必ずしも必要なものではなく、例えば、操作者にとって記録紙カバー２０が正確に閉止されたことを確認可能なものであればよい。
【００２１】
ロール状の記録紙３２は、プラテン２８と記録ヘッド部３０との間をニップ状態で挿通された状態で、外方に引き出される。この記録紙３２には、プラテン２８と記録ヘッド部３０とのニップ位置で該記録ヘッド部３０により各種情報が印字されるようになっている。
【００２２】
図３は、記録紙カバー２０を閉じた状態におけるプリンタ部１８の内部構造を示す。
プリンタ部１８は、記録紙カバー２０の内側に設けられた記録紙収納部３４と、記録紙カバー２０の閉止状態でプラテン２８と対向配置された記録ヘッド部３０と、を有している。この記録ヘッド部３０は、弾性付勢力でプラテン２８側に常時付勢されている。これにより、記録紙カバー２０を閉止した状態では、プラテン２８は記録ヘッド部３０に弾性付勢力で嵌合された状態で保持される。なお、プリンタ部１８としては、例えば熱で印字するサーマルプリンタが用いられている。
【００２３】
図４は、記録紙カバー２０に操作カム部材３６が中心軸３７により回動可能に軸着された状態の拡大図を示している。
本実施の形態では、操作カム部材３６を、記録紙３２の幅方向の一方側（図１の左端側）の記録紙カバー２０に配置したものである。
【００２４】
この操作カム部材３６は、カム部３８、係合部４０、及びレバー部４２を有し、記録紙カバー２０の側壁１２０に中心軸３７によって回動可能に軸着されている。なお、中心軸３７は操作カム部材３６と一体的に形成されている。
【００２５】
また、操作カム部材３６の中心軸３７の周りには、記録紙カバー２０の側壁１２０に摺接するようにＵ字状の突き当て面１３７が形成されている。さらに、記録紙カバー２０の側壁１２０には、スリット１２０ａが形成されている。このスリット１２０ａは、側壁１２０と突き当て面１３７とが適度な摩擦力で回動できるようにバッファ機能を有している
。
【００２６】
このため、操作カム部材３６が記録紙カバー２０に軸着された状態では、記録紙カバー２０の側壁１２０との間に適度な摩擦力が付与されていて、操作カム部材３６は自重ではみだりに回転することはない。
【００２７】
操作カム部材３６のカム部３８は、中心軸３７を中心として相対的に大径のカム面３８ａ、及び該カム面３８ａに一端が不連続点１３８で交差し、他端が不連続点２３８で交差する所定の中心角θで凹状に切り欠かれた切り欠き面３８ｂを有している。
【００２８】
また、係合部４０は、切り欠き面３８ｂの他端の不連続点２３８から所定幅で径線（直径）と略平行に突出する突出片４０ａを有している。また、突出片４０ａの先端には、図４の時計方向に突出する爪部４０ｂが形成されている。そして、前述した切り欠き面３８ｂと突出片４０ａ、及び爪部４０ｂとで略コ字状の係合凹部４０ｃが形成されている。
【００２９】
また、レバー部４２は、係合部４０に対し略１８０°離間したカム面３８ａ上の始点３８ｃから、図４の時計方向（かつ接線方向）に一体的に延出されている。
本実施形態では、中心軸２７の中心をＯとすると、中心Ｏとレバー部４２の先端部Ｓとを結ぶ距離Ｌ１と、中心Ｏと不連続点１３８とを結ぶ距離Ｌ２との比は、およそ４対１に設定されている。これは、所定の大きさの力でレバー部４２を操作したとき、不連続点１３８には略４倍の大きさの操作力を付与するように、てこの原理を応用したものである。
【００３０】
これにより、レバー部４２を操作して記録紙カバー２０を開放する時には、小さな操作力により、大きな反力でプラテン２８を記録ヘッド部３０から離脱させることができる。
また、本体フレーム１２には、受け部４４ａと当接面４４ｂを有するフレーム受け部４４が形成されている。この受け部４４ａに、操作カム部材３６の係合部４０の係合凹部４０ｃが係合した状態では、係合部４０の先端に形成された爪部４0ｂにより、フレーム受け部４４を係合凹部４０ｃが挟み込んだ状態となる。
【００３１】
しかも、記録紙カバー２０の閉状態では、記録紙カバー２０の自由端側に取り付けられたプラテン２８は弾性力で記録ヘッド部３０に嵌合保持されている。このため、例えば外部から記録紙カバー２０等に何らかの衝撃力が加わったとしても、係合部４０とフレーム受け部４４との係合は不容易には外れない構造となっている。
【００３２】
一方、レバー部４２を操作して記録紙カバー２０をカバー閉状態から開方向に操作すると、操作カム部材３６は中心軸３７を中心として回動する。操作カム部材３６が所定量回動すると、係合部４０の係合凹部４０ｃはフレーム受け部４４の先端の受け部４４ａから離脱する。この時点では、カム部３８の不連続点１３８はフレーム受け部４４の当接面４４ｂに当接していない。
【００３３】
続いて、レバー部４２をさらにカバー開方向に操作すると、カム部３８の不連続点１３８がフレーム受け部４４の当接面４４ｂに当接する。この当接面４４ｂに不連続点１３８が当接した時点で、レバー部４２をカバー開方向に所定の力で操作すると、操作カム部材３６の中心軸３７にはフレーム受け部４４の当接面４４ｂからの反力が作用する。この反力は、記録紙カバー２０の自由端側に取り付けられたプラテン２８に作用し、該プラテン２８は記録ヘッド部３０からの弾性力から解放される。
【００３４】
すなわち、図４において、例えばレバー部４２を操作して、記録紙カバー２０を閉状態から開方向に操作する際、レバー部４２の先端のＳ点において上方に大きさＰの力を加えて操作したとする。すると、カム部３８の不連続点１３８には、前述したてこの原理によ
り大きさ４×Ｐの操作力が付与される。このときの反力が、プラテン２８と記録ヘッド部３０との間に付与されて該プラテン２８が離脱される。こうして、このプラテン２８を自由端側に取り付けている記録紙カバー２０が基端側の支点２６を中心として回動し、開放される。
【００３５】
さらに、記録紙カバー２０を開状態から閉止するには、レバー部４２を操作することなく記録紙カバー２０を閉方向に押操作すればよい。詳しくは後述する。
なお、本実施形態では、係合部４０の先端に設けた爪部４０ｂがフレーム受け部４４に係合するとして説明したが、これに限らない。例えば、係合部４０の突出片４０ａに嵌合孔（又は凹部）を設け、この嵌合孔（又は凹部）にフレーム受け部４４の受け部４４ａが嵌入するような構成であってもよい。
【００３６】
次に、本実施形態の作用について説明する。
［カード決済の概要］
この携帯決済端末装置１０を用いて、レストランなどで販売代金の決済を行う場合、オペレータは携帯決済端末装置１０を片手で持った状態で入力部１３のキー１３ａを操作して販売金額を入力する。入力された金額は表示部１４に表示される。顧客は、この表示された金額を確認することができる。
【００３７】
顧客が表示金額を確認すると、オペレータは顧客が提示した磁気カードを磁気ストライプリーダ２４の溝２４ａに沿って引く。又は、顧客がＩＣカードを提示した場合は、接触型ＩＣカードリーダ２２のＩＣカード挿入口２２ａにＩＣカードを挿入することにより、更には、非接触型ＩＣカードリーダ１６の表面にＩＣカードをかざすことによって、カード情報が携帯決済端末装置１０に読み取られる。
【００３８】
読み取られたカード情報と、オペレータが入力部１３から入力した暗証番号等とは、内蔵された不図示の制御部で照合される。そして、暗証番号等とカード情報とが一致した場合には、入力された金額情報が無線通信によって送信され、顧客の預金口座からレストランの口座へ販売代金が振り込まれる。また、無線送信された情報は、プリンタ部１８でプリントアウトされ、オペレータから顧客に手渡される。
【００３９】
このとき、例えば３枚のレシートが印字される。１枚目のレシートはカード会社用、２枚目のレシートは顧客用、３枚目のレシートはレストランの控えとして保存される。
［記録紙カバー２０の開閉と記録紙３２の交換］
説明が一部重複するが、記録紙３２の交換などで記録紙カバー２０を開放する場合には、図３の状態で、操作者は記録紙３２の幅方向の一方（図１の左端側）に配置された操作カム部材３６のレバー部４２を片方の手の指で把持する。このとき、中心軸３７の中心を通る線Ｃ’は基準線Ｃと一致している。
【００４０】
そして、図５に示すように、このレバー部４２を矢印Ａ方向に上方に少し引き上げる。すると、操作カム部材３６は中心軸３７を中心として図の反時計方向に若干回転し、中心軸３７の中心を通る線Ｃ’は基準線Ｃとαの角度をなす。
【００４１】
これにより、フレーム受け部４４の受け部４４ａと係合部４０の係合凹部４０ｃとの係合が解除される。この時点では、カム部３８の不連続点１３８とフレーム受け部４４の当接面４４ｂとは当接していない。
【００４２】
次に、図６に示すように、レバー部４２をもう少し引き上げて操作カム部材３６をさらに矢印方向に回転させると、操作カム部材３６は中心軸３７を中心として図の反時計方向に回転し、中心軸３７の中心を通る線Ｃ’は基準線Ｃとβの角度をなす。このとき、カム
部３８の不連続点１３８がフレーム受け部４４の当接面４４ｂに当接する。
【００４３】
これにより、フレーム受け部４４の当接面４４ｂからの反力が操作カム部材３６の中心軸３７に作用する。このときの反力の方向は、フレーム受け部４４の当接面４４ｂと略直交する方向（図の上方向）である。すると、操作カム部材３６を支持している記録紙カバー２０の自由端側のプラテン２８に、フレーム受け部４４の当接面４４ｂと略直交するＢ方向への付勢力が作用する。こうして、プラテン２８は記録ヘッド部３０から解放される。
【００４４】
このときの、当接面４４ｂからの反力の大きさは、前述したように、レバー部４２をＰの力で引き上げたとすると、４×Ｐの力が生じる。これにより、記録紙カバー２０の自由端側は基端側の支点２６を中心として、図の反時計方向に回動して記録紙カバー２０が開放する。
【００４５】
こうして、図７に示すように、記録紙カバー２０が開放される。この状態では、記録紙収納部３４は半分開放された状態であり、記録紙３２を交換することはできない。
次に、図８に示すように、記録紙カバー２０を把持して基端側の支点２６を中心として大きく開放すると、記録紙収納部３４は完全に開放される。この状態では、記録紙カバー２０から手を離しても、重心が装置本体の外側に移動しているため開放状態が維持される。そこで、この状態で記録紙収納部３４内の記録紙３２を交換等することができる。
【００４６】
次に、記録紙３２の交換を終了し、記録紙カバー２０をカバー開状態から閉じるときは、レバー部４２に触れることなく、記録紙カバー２０の表面側を閉方向へ押して閉じる。このとき、記録紙カバー２０を図６の位置付近まで閉じると、操作カム部材３６の不連続点１３８がフレーム受け部４４の当接面４４ｂに当接する。さらに、記録紙カバー２０を閉方向に回動させることで、操作カム部材３６が中心軸３７を中心として図６の時計方向に回動して、操作カム部材３６の係合凹部４０ｃがフレーム受け部４４の受け部４４ａに係合する。
【００４７】
これと略同時に、プラテン２８が記録ヘッド部３０に嵌合され、弾性力で保持される。このとき、プラテン２８が記録ヘッド部３０に嵌合するときのパチンというクリック音とともに記録紙カバー２０が閉じられる。これにより、操作者は記録紙カバー２０が確実に閉じられたことを確認することができる。
【００４８】
本実施形態によれば、記録紙カバーの両側を把持したり、或いはロックボタン等を解除操作する必要がないので、操作が簡単であり、しかも小さな力で記録紙カバー２０を開閉操作することができる。
【００４９】
例えば、記録紙カバー２０を開放する際、左右一方の手で携帯決済端末装置１０を持ち、他方の手の指でレバー部４２を開操作するのみで、簡単に記録紙カバー２０を開放することができる。しかも、てこの原理を応用する構成としたので小さな操作力でカバーを開放することができる。
【００５０】
こうして、記録紙収納部３４に収納された記録紙３２を簡単に取り替えることができる。また、係合部４０にはフレーム受け部４４を挟み込む爪部４０ｂが設けられているので、誤って携帯決済端末装置１０を落とした場合でも、その衝撃で記録紙カバー２０が不用意に開いてしまうのを防止することができる。
【００５１】
さらに、記録紙カバーの記録紙の幅方向の端部にレバー部４２を設け、その他の構造は内蔵されているので、意匠的な美的デザインを損なうことがない。
［第２の実施の形態］
図９〜図１２は、操作カム部材３６を記録紙の幅方向の両側に配置した場合の実施の形態を示している。
【００５２】
なお、第１の実施の形態と同一又は相当する部材には同一の符号を付してその説明を省略する。
図９は、本実施形態の携帯決済端末装置１０の記録紙カバー２０を閉じた状態の外観を示す図、図１０は、記録紙カバーを開いた状態の外観を示す図である。
【００５３】
本実施形態では、レバー部４２が記録紙の幅方向に亘って矩形状に連続して形成されている。
図１１及び図１２に示すように、操作カム部材３６は、記録紙３２の幅方向に亘って延設された矩形状のレバー部４２と、このレバー部４２の長手方向の両端部に夫々形成されたカム部３８及び係合部４０を有している。この操作カム部材３６、３６が記録紙３２の幅方向の両端側に設けられている。
【００５４】
また、本体フレーム１２側にも、記録紙３２の幅方向の両端側にフレーム受け部４４、４４が形成されている。
以上において、レバー部４２をカバー閉状態から開方向に操作すると、左右２つの操作カム部材３６、３６が、前述した図４の反時計方向に連動して回動する。そして、夫々の係合部４０，４０がフレーム受け部４４、４４から離脱し、次いで操作カム部材３６、３６の不連続点１３８，１３８がフレーム受け部４４、４４の当接面４４ｂ，４４ｂに当接する。
【００５５】
これにより、操作カム部材３６の不連続点１３８がフレーム受け部４４に当接したときの反力で、プラテン２８が弾性力に抗して記録ヘッド部３０から離脱する。
一方、記録紙カバー２０を開状態から閉方向に押圧操作すると、操作カム部材３６の係合凹部４０ｃがフレーム受け部４４の受け部４４ａに係合する。こうして、記録紙カバー２０をスムーズに閉じることができる。
【００５６】
本実施形態によれば、記録紙３２の幅方向に亘って延設された矩形状のレバー部４２の両端部に操作カム部材３６、３６が配置され、夫々の係合部４０、４０が係合可能なフレーム受け部４４、４４が、記録紙３２の幅方向の両端側のフレーム本体１２に設けられているので、記録紙カバー20の開閉の際に記録紙３２の幅方向に偏りがない状態で操作することができる。
【００５７】
また、第１の実施の形態と同様に、また、係合部４０にはフレーム受け部４４を挟み込む爪部４０ｂが設けられているので、誤って携帯決済端末装置１０を落とした場合でも、その衝撃で記録紙カバー２０が不用意に開いてしまうのを防止することができる。
【図面の簡単な説明】
【００５８】
【図１】第１の実施形態の携帯決済端末装置の記録紙カバー閉状態の全体の斜視図である。
【図２】第１の実施形態の携帯決済端末装置の記録紙カバー開状態の全体の斜視図である。
【図３】記録紙カバーを閉じた状態のプリンタ部の内部構造を示す図である。
【図４】記録紙カバーに操作カム部材が軸着された状態の拡大図である。
【図５】記録紙カバーを閉状態から開方向に操作するときの断面図である。
【図６】記録紙カバーを閉状態から開方向に操作するときの断面図である。
【図７】記録紙カバーを閉状態から開方向に操作するときの断面図である。
【図８】記録紙カバーを閉状態から開方向に操作するときの断面図である。
【図９】第２の実施形態の携帯決済端末装置の記録紙カバー閉状態の全体の斜視図である。
【図１０】第２の実施形態の携帯決済端末装置の記録紙カバー開状態の全体の斜視図である。
【図１１】記録紙カバーを表面からみたときの斜視図である。
【図１２】記録紙カバーを裏面からみたときの斜視図である。
【図１３】従来の携帯決済端末装置の記録紙カバーを閉じたときの外観を示す図である。
【図１４】従来の携帯決済端末装置の記録紙カバーを開放したときの外観を示す図である。
【符号の説明】
【００５９】
１０      携帯決済端末装置
１２      本体フレーム
１３      入力部
１４      表示部
１６      非接触型ＩＣカードリーダ
１８      プリンタ部
２０      記録紙カバー
１２０    側壁
１２０ａ  スリット
２２      接触型ＩＣカードリーダ
２２ａ    ＩＣカード挿入口
２４      磁気ストライプリーダ
２４ａ    溝
２６      支点
２８      プラテン
３０      記録ヘッド部
３２      記録紙
３４      記録紙収納部
３６      操作カム部材
３７      中心軸
１３７    突き当て面
３８      カム部
３８ａ    カム面
３８ｂ    切り欠き面
３８ｃ    始点
１３８    不連続点
２３８    不連続点
４０      係合部
４０ａ    突出片
４０ｂ    爪部
４０ｃ    係合凹部
４２      レバー部
４４      フレーム受け部
４４ａ    受け部
４４ｂ    当接面
【図１】
2009202424.tif 000003
【図２】
2009202424.tif 000004
【図３】
2009202424.tif 000005
【図４】
2009202424.tif 000006
【図５】
2009202424.tif 000007
【図６】
2009202424.tif 000008
【図７】
2009202424.tif 000009
【図８】
2009202424.tif 000010
【図９】
2009202424.tif 000011
【図１０】
2009202424.tif 000012
【図１１】
2009202424.tif 000013
【図１２】
2009202424.tif 000014
【図１３】
2009202424.tif 000015
【図１４】
2009202424.tif 000016